(57)【要約】【課題】複数のコンテンツデータを表示画面へと表示させる場合においてユーザにとってより分かりやすく直感的な表示を実現することが可能な表示装置、表示方法およびプログラムを提供する。【解決手段】表示画面に表示するコンテンツデータの表示数を決定する表示数決定部と、コンテンツデータの表示を開始する表示開始位置と、表示数決定部において決定された表示数に基づいて、表示数に対応する数のコンテンツデータを表示させる表示位置を設定する表示位置設定部と、表示開始位置と、表示位置設定部が設定した表示位置とに基づいて、表示画面に表示するコンテンツデータそれぞれを、表示開始位置から表示位置それぞれに向けて移動させながら表示させる表示制御部とを備える表示装置が提供される。【選択図】図１３
2010176420.tif 000002
【特許請求の範囲】
【請求項１】
表示画面に表示するコンテンツデータの表示数を決定する表示数決定部と；
コンテンツデータの表示を開始する表示開始位置と、前記表示数決定部において決定された表示数に基づいて、前記表示数に対応する数のコンテンツデータを表示させる表示位置を設定する表示位置設定部と；
前記表示開始位置と、前記表示位置設定部が設定した表示位置とに基づいて、表示画面に表示するコンテンツデータそれぞれを、前記表示開始位置から前記表示位置それぞれに向けて移動させながら表示させる表示制御部と；
を備える表示装置。
【請求項２】
コンテンツデータが入力されるコンテンツデータ入力部をさらに備え、
前記表示位置設定部は、コンテンツデータが入力されたコンテンツデータ入力部が備えられる位置に基づいて前記表示開始位置を決定する、請求項１に記載の表示装置。
【請求項３】
前記表示制御部は、前記表示開始位置と設定された前記表示位置とに基づいて、前記表示開始位置と前記表示位置それぞれとの距離を前記表示位置ごとに導出し、導出された距離が大きな表示位置から順にコンテンツデータを表示させる、請求項２に記載の表示装置。
【請求項４】
前記表示位置設定部は、前記表示数決定部において決定された表示数に基づいて、表示画面に表示するコンテンツデータの表示サイズを決定し、
前記表示制御部は、前記表示位置設定部において決定された表示サイズに基づく大きさでコンテンツデータを表示させる、請求項１に記載の表示装置。
【請求項５】
前記表示位置設定部は、さらにコンテンツデータに設定されたメタ情報に基づいて、コンテンツデータごとに表示サイズを決定する、請求項４に記載の表示装置。
【請求項６】
前記表示位置設定部は、表示画面の水平方向、垂直方向、および表示画面に対する鉛直方向で規定される三次元空間内に前記表示位置を設定する、請求項１〜５に記載の表示装置。
【請求項７】
前記表示位置設定部は、表示画面の水平方向、および垂直方向で規定される二次元平面内に前記表示位置を設定する、請求項１〜５に記載の表示装置。
【請求項８】
表示画面に表示するコンテンツデータの表示数を決定するステップと；
コンテンツデータの表示を開始する表示開始位置と、前記表示数決定部において決定された表示数に基づいて、前記表示数に対応する数のコンテンツデータを表示させる表示位置を設定するステップと；
前記表示開始位置と、前記表示位置設定部が設定した表示位置とに基づいて、表示画面に表示するコンテンツデータそれぞれを、前記表示開始位置から前記表示位置それぞれに向けて移動させながら表示させるステップと；
を有する、表示方法。
【請求項９】
表示画面に表示するコンテンツデータの表示数を決定するステップ；
コンテンツデータの表示を開始する表示開始位置と、前記表示数決定部において決定された表示数に基づいて、前記表示数に対応する数のコンテンツデータを表示させる表示位置を設定するステップ；
前記表示開始位置と、前記表示位置設定部が設定した表示位置とに基づいて、表示画面に表示するコンテンツデータそれぞれを、前記表示開始位置から前記表示位置それぞれに向けて移動させながら表示させるステップ；
をコンピュータに実行させるためのプログラム。
【発明の詳細な説明】
【技術分野】
【０００１】
本発明は、表示装置、表示方法およびプログラムに関する。
【背景技術】
【０００２】
静止画像や動画像などのコンテンツデータを１つの表示画面内に複数表示させるための表示方法として、例えば、サムネイル表示やインデックス表示とよばれる表示方法が知られている。また、近年、コンテンツデータの表示に係る様々な技術が開発されている。表示画面内により多くの情報を表示させるための技術としては、例えば、特許文献１が挙げられる。
【先行技術文献】
【特許文献】
【０００３】
【特許文献１】特開２００６−２３７８７６号公報
【発明の概要】
【発明が解決しようとする課題】
【０００４】
コンテンツデータの表示に係る従来の技術（以下、単に「従来の技術」とよぶ。）は、表示画面内、すなわち限られた表示可能領域内により多くの情報を表示させるという観点に基づくインデックス表示に係る技術である。より具体的には、従来の技術は、表示画面に表示させる画像データの縮小画像を生成し、表示画面のアスペクト比に応じて当該縮小画像のアスペクト比を調整する。よって、従来の技術が適用された表示装置（以下、「従来の表示装置」とよぶ場合がある。）は、表示画面内により多くの情報を表示させることができ、また、ユーザにとってより分かりやすいインデックス表示を実現することができる可能性がある。
【０００５】
ここで、近年、例えばＬＣＤ（Liquid  Crystal  Display。液晶ディスプレイ）などの表示装置が有する表示画面の大型化が進んでおり、情報を表示可能な表示可能領域もより大きくなっている。そのため、従来の技術を用いる場合、例えば、表示画面が大きくなればなる程表示画面内にインデックス表示により表示されるコンテンツデータ（厳密には、コンテンツデータに基づく縮小画像）数が増すこととなる。また、従来の技術は、単にインデックス表示やサムネイル表示などの複数のコンテンツデータの一覧表示に係る既存の表示方法に則ってコンテンツデータを表示画面に表示させるものである。つまり、従来の表示装置は、例えば、マトリクス状に整然と配置されたコンテンツデータの一覧をユーザに示しているに過ぎない。よって、従来の技術を用いることによって表示画面内の情報量が増大したとしても、それがかえって従来の表示装置のユーザが所望するコンテンツデータを見つけることを困難とする結果を招く恐れがある。よって、インデックス表示やサムネイル表示など従来の表示方法を用いる従来の技術に係る表示方法がユーザにとってより分かりやすい表示となるとは限らない。
【０００６】
また、従来の表示装置は、例えば、外部装置が備える記憶部などの外部記録媒体から新たなコンテンツデータが入力された場合であっても、ユーザに対してアルバムに既に整理された写真を見せるような表示しかとることができない。上記は、従来の表示装置が、例えば、外部記録媒体からコンテンツデータを読み出す場合も同様である。よって、従来の技術を用いた場合、ユーザに対して“データを扱っている”という感覚を与えることはできるが、例えばあたかも“写真を扱っている”というような感覚をユーザに対して与えることは望むべくもない。
【０００７】
本発明は、上記問題に鑑みてなされたものであり、本発明の目的とするところは、複数のコンテンツデータを表示画面へと表示させる場合においてユーザにとってより分かりやすく直感的な表示を実現することが可能な、新規かつ改良された表示装置、表示方法およびプログラムを提供することにある。
【課題を解決するための手段】
【０００８】
上記目的を達成するために、本発明の第１の観点によれば、表示画面に表示するコンテンツデータの表示数を決定する表示数決定部と、コンテンツデータの表示を開始する表示開始位置と、上記表示数決定部において決定された表示数に基づいて、上記表示数に対応する数のコンテンツデータを表示させる表示位置を設定する表示位置設定部と、上記表示開始位置と、上記表示位置設定部が設定した表示位置とに基づいて、表示画面に表示するコンテンツデータそれぞれを、上記表示開始位置から上記表示位置それぞれに向けて移動させながら表示させる表示制御部とを備える表示装置が提供される。
【０００９】
かかる構成により、複数のコンテンツデータを表示画面へと表示させる場合においてユーザにとってより分かりやすく直感的な表示を実現することができる。
【００１０】
また、コンテンツデータが入力されるコンテンツデータ入力部をさらに備え、上記表示位置設定部は、コンテンツデータが入力されたコンテンツデータ入力部が備えられる位置に基づいて上記表示開始位置を決定してもよい。
【００１１】
また、上記表示制御部は、上記表示開始位置と設定された上記表示位置とに基づいて、上記表示開始位置と上記表示位置それぞれとの距離を上記表示位置ごとに導出し、導出された距離が大きな表示位置から順にコンテンツデータを表示させてもよい。
【００１２】
また、上記表示位置設定部は、上記表示数決定部において決定された表示数に基づいて、表示画面に表示するコンテンツデータの表示サイズを決定し、上記表示制御部は、上記表示位置設定部において決定された表示サイズに基づく大きさでコンテンツデータを表示させてもよい。
【００１３】
また、上記表示位置設定部は、さらにコンテンツデータに設定されたメタ情報に基づいて、コンテンツデータごとに表示サイズを決定してもよい。
【００１４】
また、上記表示位置設定部は、表示画面の水平方向、垂直方向、および表示画面に対する鉛直方向で規定される三次元空間内に上記表示位置を設定してもよい。
【００１５】
また、上記表示位置設定部は、表示画面の水平方向、および垂直方向で規定される二次元平面内に上記表示位置を設定してもよい。
【００１６】
上記目的を達成するために、本発明の第２の観点によれば、表示画面に表示するコンテンツデータの表示数を決定するステップと、コンテンツデータの表示を開始する表示開始位置と、上記表示数決定部において決定された表示数に基づいて、上記表示数に対応する数のコンテンツデータを表示させる表示位置を設定するステップと、上記表示開始位置と、上記表示位置設定部が設定した表示位置とに基づいて、表示画面に表示するコンテンツデータそれぞれを、上記表示開始位置から上記表示位置それぞれに向けて移動させながら表示させるステップとを有する表示方法が提供される。
【００１７】
かかる方法を用いることにより、複数のコンテンツデータを表示画面へと表示させる場合においてユーザにとってより分かりやすく直感的な表示を実現することができる。
【００１８】
上記目的を達成するために、本発明の第３の観点によれば、表示画面に表示するコンテンツデータの表示数を決定するステップ、コンテンツデータの表示を開始する表示開始位置と、上記表示数決定部において決定された表示数に基づいて、上記表示数に対応する数のコンテンツデータを表示させる表示位置を設定するステップ、上記表示開始位置と、上記表示位置設定部が設定した表示位置とに基づいて、表示画面に表示するコンテンツデータそれぞれを、上記表示開始位置から上記表示位置それぞれに向けて移動させながら表示させるステップをコンピュータに実行させるためのプログラムが提供される。
【００１９】
かかるプログラムを用いることにより、複数のコンテンツデータを表示画面へと表示させる場合においてユーザにとってより分かりやすく直感的な表示を実現することができる。
【発明の効果】
【００２０】
本発明によれば、複数のコンテンツデータを表示画面へと表示させる場合においてユーザにとってより分かりやすく直感的な表示を実現することができる。
【図面の簡単な説明】
【００２１】
【図１Ａ】従来の表示装置における表示方法を説明するための説明図である。
【図１Ｂ】従来の表示装置における表示方法を説明するための説明図である。
【図２Ａ】本発明の実施形態に係る表示装置における表示方法を説明するための説明図である。
【図２Ｂ】本発明の実施形態に係る表示装置における表示方法を説明するための説明図である。
【図２Ｃ】本発明の実施形態に係る表示装置における表示方法を説明するための説明図である。
【図３】本発明の実施形態に係る表示装置におけるコンテンツデータの表示サイズ決定方法を説明するための第１の説明図である。
【図４】本発明の実施形態に係る表示装置におけるコンテンツデータの表示サイズ決定方法を説明するための第２の説明図である。
【図５】本発明の実施形態に係る表示装置が決定する表示開始位置の一例を示す説明図である。
【図６】本発明の実施形態に係る表示装置における表示位置候補導出方法の第１の例を説明するための説明図である。
【図７Ａ】本発明の実施形態に係る表示装置における表示位置候補導出方法の第２の例を説明するための説明図である。
【図７Ｂ】本発明の実施形態に係る表示装置における表示位置候補導出方法の第２の例を説明するための説明図である。
【図８】本発明の実施形態に係る表示装置における表示位置候補導出方法の第２の例を説明するための説明図である。
【図９】本発明の実施形態に係る表示装置における表示処理の第１の例を説明するための説明図である。
【図１０】本発明の実施形態に係る表示装置における表示処理の第２の例を説明するための説明図である。
【図１１】本発明の実施形態に係る表示装置の表示画面に表示されるコンテンツデータの他の表示例を示す説明図である。
【図１２】本発明の実施形態に係る表示装置における処理の一例を示す流れ図である。
【図１３】本発明の実施形態に係る表示装置の構成の一例を示す説明図である。
【図１４】本発明の実施形態に係る表示装置のハードウェア構成の一例を示す説明図である。
【発明を実施するための形態】
【００２２】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２３】
また、以下では、下記に示す順序で説明を行う。
１．本発明の実施形態に係る表示方法
２．本発明の実施形態に係る表示装置
３．本発明の実施形態に係るプログラム
【００２４】
（本発明の実施形態に係る表示方法）
本発明の実施形態に係る表示装置について説明する前に、本発明の実施形態に係るコンテンツデータの表示方法について説明する。
【００２５】
以下では、表示装置が有する表示画面にコンテンツデータが表示される場合における表示方法について説明する。ここで、本発明の実施形態に係るコンテンツデータとは、表示画面に表示するコンテンツを表すデータである。コンテンツデータとしては、例えば、静止画像や動画像を表す画像データが挙げられるが、上記に限られない。例えば、本発明の実施形態に係るコンテンツデータは、様々な情報が記録されたメタデータを含むことができ、また、画像データが表す画像（静止画像／動画像）に対応する音声データを含むこともできる。
【００２６】
［本発明の実施形態に係る表示方法の概要］
〔従来の表示方法〕
本発明の実施形態に係るコンテンツデータの表示方法の概要について説明する前に、まず、従来の表示装置（以下、「表示装置１０」とよぶ場合がある。）における従来の表示方法の概要を示す。図１Ａ、図１Ｂは、従来の表示装置１０における表示方法を説明するための説明図である。ここで、図１Ａ、図１Ｂは、表示装置１０が、外部装置９０から入力されたコンテンツデータに基づいてサムネイル表示を行う例を示している。より具体的には、図１Ａは、外部装置９０に記録されたコンテンツデータが表示装置１０に入力される前の状態を示しており、図１Ｂは、外部装置９０に記録されたコンテンツデータを表示装置１０が表示画面に表示した状態の一例を示している。また、図１Ａ、図１Ｂでは、外部装置９０としてデジタルカメラを示している。
【００２７】
外部装置９０に記録された複数のコンテンツデータを表示画面に一覧表示する場合、表示装置１０は、例えば、ユーザ操作に基づいて外部装置９０からコンテンツデータを読出し、コンテンツデータに基づいて縮小画像（いわゆる、サムネイル画像）を生成する。そして、表示装置１０は、例えば図１Ｂに示すように、生成した縮小画像をマトリクス状に配置された状態で一覧表示する。つまり、表示装置１０は、図１Ｂに示すように、表示画面に縮小画像がマトリクス状に整然と配置される、いわゆるインデックス表示やサムネイル表示とよばれる従来の表示方法によって、コンテンツデータ（厳密には、縮小画像）を表示画面に表示する。ここで、インデックス表示などの従来の表示方法は、例えば、アルバムに既に整理された写真をユーザに見せるような表示方法であるので、ユーザが“写真を扱っている”というような感覚を得ることは、困難である。
【００２８】
〔本発明の実施形態に係る表示方法〕
そこで、本発明の実施形態に係る表示装置（以下、「表示装置１００」とよぶ場合がある。）では、図１Ｂに示すような従来の表示方法とは異なる表示方法によって、表示画面への複数のコンテンツデータを表示させる。より具体的には、表示装置１００は、ユーザに対して“写真を扱っている”というような感覚を従来の表示方法を用いる場合よりも与えることが可能な表示方法を用いることによって、ユーザにとってより分かりやすく直感的な表示の実現を図る。
【００２９】
以下、本発明の実施形態に係る表示装置１００におけるコンテンツデータの表示方法の概要について図２Ａ〜図２Ｃを参照して説明する。図２Ａ〜図２Ｃは、本発明の実施形態に係る表示装置１００における表示方法を説明するための説明図である。ここで、図２Ａは、コンテンツデータを記憶可能な外部装置（以下、「外部装置２００」とよぶ場合がある。）に記録されたコンテンツデータが表示装置１００に入力される前の状態を示している。また、図２Ｂは、外部装置２００に記録されたコンテンツデータを表示装置１００が表示画面に表示する表示過程の状態の一例を示しており、図２Ｃは、外部装置２００に記録されたコンテンツデータを表示装置１００が表示画面に表示した状態の一例を示してる。
【００３０】
なお、図２Ａ〜図２Ｃでは、外部装置２００としてデジタルカメラを示しているが、本発明の実施形態に係る外部装置２００は、上記に限られない。例えば、本発明の実施形態に係る外部装置２００としては、ＵＳＢ（Universal  Serial  Bus）メモリやメモリスティック、ハードディスク（Hard  Disk）などの記録媒体や、当該記録媒体を備える様々な装置が挙げられる。また、表示装置１００と外部装置２００とは、有線／無線にて直接的に接続されてもよいし、ネットワークなどを介して間接的に接続することもできる。ここで、ネットワークとしては、例えば、ＬＡＮ（Local  Area  Network）やＷＡＮ（Wide  Area  Network）などの有線ネットワーク、基地局を介した無線ＷＡＮ（ＷＷＡＮ；Wireless  Wide  Area  Network）や無線ＭＡＮ（ＷＭＡＮ；Wireless  Metropolitan  Area  Network）などの無線ネットワーク、あるいは、ＴＣＰ／ＩＰ（Transmission  Control  Protocol/Internet  Protocol）などの通信プロトコルを用いたインターネットなどが挙げられるが、上記に限られない。
【００３１】
また、本発明の実施形態に係る「接続」とは、例えば、装置間において通信が可能な状態にある（あるいは、装置間において通信が可能な状態とする）ことをいう。つまり、表示装置１００と外部装置２００とが接続されることによって、表示装置１００は、外部装置２００に記録されたコンテンツデータを受信することが可能となる。なお、表示装置１００が、外部装置２００へとコンテンツデータを送信することが可能であってもよいことは、言うまでもない。
【００３２】
以下では、例えば図２Ａ〜図２Ｃに示すように外部装置２００が表示装置１００と有線で接続され、表示装置１００が、外部装置２００から入力されたコンテンツデータを表示画面に表示する場合を例に挙げて本発明の実施形態に係る表示方法について説明する。なお、以下では、表示装置１００が、外部装置２００に記憶され外部装置２００から入力されたコンテンツデータそのものを表示画面に表示する場合を例に挙げて説明するが、上記に限られない。例えば、表示装置１００は、従来の表示方法と同様に、外部装置２００から入力されたコンテンツデータに基づく縮小画像（いわゆる、サムネイル画像）を生成し、生成した縮小画像を以下に示す表示方法により表示することもできる。
【００３３】
表示装置１００と外部装置２００とが接続され（図２Ａ）、外部装置２００からコンテンツデータが入力されると、表示装置１００は、外部装置２００から入力されたコンテンツデータの表示を開始する。このとき、表示装置１００は、入力されたコンテンツデータが外部装置２００と接続される接続端子に対応する位置（図２ＢのＴ。接続端子付近の位置）からあたかも噴出するように、順次コンテンツデータを表示させる（図２Ｂ）。その結果、外部装置２００から入力されたコンテンツデータは、例えば、物理的な写真を机の上に無造作に広げるような状態で表示装置１００の表示画面に表示される（図２Ｃ）。
【００３４】
表示装置１００は、例えば、図２Ａ〜図２Ｃに示すような表示方法によって外部装置２００から入力されたコンテンツデータを表示画面に表示させる。ここで、例えば図２Ａ〜図２Ｃに示すような表示方法が用いられることによって、表示装置１００のユーザは、表示画面に表示された各コンテンツデータが外部装置２００から入力されたコンテンツデータであることを視覚的に把握することが可能となる。よって、図２Ａ〜図２Ｃに示すような本発明の実施形態に係る表示方法を用いることによって、表示装置１００は、従来の表示方法よりもより直感的な表示を実現することができる。
【００３５】
また、表示装置１００は、複数のコンテンツデータの表示に際して例えば物理的な写真を机の上に無造作に広げるような状態を視覚的に作り出すので、従来の表示方法よりも“写真を扱っている”というような感覚をユーザに対して与えることができる。
【００３６】
また、表示装置１００は、従来の表示方法のように複数のコンテンツデータをマトリクス状に整然とは配置しない（図２Ｃ）。より具体的には、表示装置１００は、例えば図２Ｃに示すように、表示画面にコンテンツデータの表示の向きをランダムなものとし、また、コンテンツデータが重なり合う表示を許容する。つまり、従来の表示方法がコンテンツデータをマトリクス状に整然とは配置することによって表示されたコンテンツデータの表示状態を均一化するのに対して、表示装置１００は、コンテンツデータの表示状態を均一化しない。よって、図２Ｃに示すような表示方法を用いることによって、表示装置１００は、各コンテンツデータの表示状態に係る情報量に変化をつけることができる。したがって、表示装置１００は、従来の表示方法が用いられた場合よりも、表示画面に表示されたコンテンツデータそれぞれに対してユーザの意識を向けさせることが可能となる。さらに述べれば、表示装置１００は、表示画面に表示されたコンテンツデータそれぞれに対してユーザの意識をより向けさせることができるので、ユーザが所望するコンテンツデータの発見を従来の表示方法を用いる場合よりもより容易なものとすることができる。
【００３７】
したがって、図２Ａ〜図２Ｃに示すような本発明の実施形態に係る表示方法を用いることによって、表示装置１００は、複数のコンテンツデータを表示画面へと表示させる場合においてユーザにとってより分かりやすく直感的な表示を実現することができる。また、本発明の実施形態に係る表示方法を用いることによって、表示装置１００は、コンテンツデータを従来の表示方法を用いる場合よりもより効果的にユーザに対して見せることができる。
【００３８】
なお、上記では、図２Ａ〜図２Ｃに示すように、表示装置１００が外部装置２００に記憶されたコンテンツデータを表示する場合を例に挙げて説明したが、上記に限られない。例えば、表示装置１００は、表示装置１００が備える記憶部（後述する）に記憶されたコンテンツデータを図２Ｂ、図２Ｃに示すように、例えば、物理的な写真を机の上に無造作に広げるような状態で表示画面に表示させることもできる。上記の場合、コンテンツデータが噴出して表示される表示開始の位置（例えば図２ＢのＴに対応する位置）としては、例えば、表示画面の上面中央の位置や下面中央の位置などの予め定められた位置や、記憶部が備えられる位置に対応する位置が挙げられるが、上記に限られない。また、表示装置１００は、表示装置１００内に収められた外部記録媒体に記録されたコンテンツデータを表示させる場合には、例えば記憶部に記憶されたコンテンツデータを表示させるときと同様に、表示開始の位置を設定することができるが、上記に限られない。
【００３９】
〔本発明の実施形態に係る表示方法を実現するための処理の概要〕
次に、上述した本発明の実施形態に係る表示方法を実現するための表示装置１００における処理の概要について説明する。
【００４０】
（１）表示数決定処理
（１−１）表示数決定処理
表示装置１００は、表示画面に表示するコンテンツデータの表示数を決定する。ここで、表示装置１００は、例えば、外部装置２００から入力されたコンテンツデータの数や、表示装置１００の記憶部（後述する）から読み出すコンテンツデータの数を表示数とすることができるが、上記に限られない。例えば、表示装置１００は、表示画面に表示するコンテンツデータ数の最大値を規定する表示数情報を記憶し、上記コンテンツデータ数が当該表示数情報により規定されてる表示数を超える場合には、当該表示数情報に係る最大値を表示数とすることもできる。ここで、表示数情報により規定される最大値は、例えば、予め定められたものとすることができるが、上記に限られない。例えば、表示装置１００は、表示装置１００が備える操作部（後述する）を用いたユーザ操作に応じて、最大値を表示数情報に適宜設定することもできる。
【００４１】
（１−２）コンテンツデータの表示サイズ決定処理
また、表示装置１００は、決定された表示数に基づいて、各コンテンツデータを表示画面に表示させる表示サイズを決定する。なお、本発明の実施形態に係る表示装置１００は、（１−２）の処理（表示サイズ決定処理）を行わない構成とすることもできる。上記の場合、表示装置１００は、例えば、表示画面に表示する各コンテンツデータを、決定された表示数によらない所定の表示サイズで表示させる。以下では、本発明の実施形態に係る表示装置１００が、（１−２）の処理（表示サイズ決定処理）を行う場合を主たる例として説明する。
【００４２】
〔ａ〕第１の表示サイズ決定処理
表示装置１００は、例えば、表示数と表示サイズとが対応付けられたルックアップテーブル（Look  Up  Table）を記憶する。そして、表示装置１００は、上記ルックアップテーブルを用いることによって、（１−１）の処理において決定された表示数に対応する表示サイズを決定する。
【００４３】
図３は、本発明の実施形態に係る表示装置１００におけるコンテンツデータの表示サイズ決定方法を説明するための第１の説明図である。ここで、図３は、ルックアップテーブルに記憶される値の一の例を示している。図３に示すＳｚ＿ｍｉｎは、コンテンツデータの表示サイズの最小サイズを示しており、Ｓｚ＿ｍａｘは、コンテンツデータの表示サイズの最大サイズを示している。また、図３に示すＴＨ１、ＴＨ２は、それぞれ表示サイズをＳｚ＿ｍｉｎまたはＳｚ＿ｍａｘに設定するための閾値の一例を示している。Ｓｚ＿ｍｉｎとしては、例えば、写真におけるＬ版（８９ｍｍ×１３０ｍｍ）のサイズが挙げられるが、上記に限られない。また、Ｓｚ＿ｍａｘとしては、例えば、写真におけるＬＬ版（１２７ｍｍ×１７８ｍｍ）のサイズが挙げられるが、上記に限られない。
【００４４】
例えば図３に示すように表示数と表示サイズとが対応付けられたルックアップテーブルを用いることによって、表示装置１００は、（１−１）の処理において決定された表示数に対応する表示サイズを一意に決定することができる。
【００４５】
なお、本発明の実施形態に係るコンテンツデータの表示サイズ決定方法は、図３に示す情報が記録されたルックアップテーブルを用いる方法に限られない。図４は、本発明の実施形態に係る表示装置１００におけるコンテンツデータの表示サイズ決定方法を説明するための第２の説明図である。ここで、図４は、ルックアップテーブルに記憶される値の他の例を示している。図４に示すＳｚ＿１〜Ｓｚ＿３は、コンテンツデータの表示サイズを示しており、図４に示すＴＨ４、ＴＨ５は、それぞれ表示サイズをＳｚ＿１〜Ｓｚ＿３のいずれかに設定するための閾値の一例を示している。Ｓｚ＿１としては、例えば、写真におけるＬ版（８９ｍｍ×１３０ｍｍ）のサイズが挙げられ、Ｓｚ＿３としては、例えば、写真におけるＬＬ版（１２７ｍｍ×１７８ｍｍ）のサイズが挙げられるが、上記に限られない。また、Ｓｚ＿３としては、例えば、Ｌ版のサイズ〜ＬＬ版のサイズの任意のサイズを設定することができるが、上記に限られない。
【００４６】
例えば図４に示す情報が記録されたルックアップテーブルを用いる場合であっても、表示装置１００は、図３に示すルックアップテーブルを用いる場合と同様に、（１−１）の処理において決定された表示数に対応する表示サイズを一意に決定することができる。
【００４７】
〔ｂ〕第２の表示サイズ決定処理
上記では、第１の表示サイズ決定処理として、（１−１）の処理において決定された表示数に対応する表示サイズを一意に決定することが可能な処理を示した。しかしながら、表示装置１００における表示サイズの決定処理は、（１−１）の処理において決定された表示数に対応する表示サイズを一意に決定する処理に限られない。例えば、表示装置１００は、ルックアップテーブルを用いた表示サイズの決定と併せて、さらにコンテンツデータに含まれるメタ情報に基づいてコンテンツデータごとに表示サイズを変えることもできる。
【００４８】
より具体的には、例えば、表示装置１００は、コンテンツデータのメタ情報として“お気に入り”である旨の情報が設定されている場合には、ルックアップテーブルにより設定される表示サイズよりもより大きな表示サイズに設定する。また、表示装置１００は、例えば、コンテンツデータのメタ情報として“表示サイズ”の情報が設定されている場合には、メタ情報に設定された表示サイズを当該コンテンツデータの表示サイズとして決定する。なお、本発明の実施形態に係るコンテンツデータに含まれるメタ情報に基づいてコンテンツデータごとに表示サイズを変える例が、上記に限られないことは、言うまでもない。
【００４９】
表示装置１００は、例えば、上記〔ａ〕の処理や〔ｂ〕の処理を行うことによって、コンテンツデータの表示サイズを決定することができる。また、表示装置１００は、例えば、決定した表示サイズを表示サイズ情報に記録し、当該表示サイズ情報に基づいてコンテンツデータの表示を行う。なお、表示装置１００における決定した表示サイズの保持方法は、上記に限られない。
【００５０】
（２）表示位置決定処理
表示装置１００は、図２Ｂ、図２Ｃに示す表示方法を実現するために、コンテンツデータの表示を開始する位置（例えば図２ＢのＴ。以下、「表示開始位置」という。）と、各コンテンツデータを表示する位置（以下、「表示位置」という。）を決定する。
【００５１】
（２−１）表示開始位置決定処理
表示装置１００は、例えば、コンテンツデータが入力されたコンテンツデータ入力部が備えられる位置に基づいて、当該コンテンツデータ入力部に対応する位置を表示開始位置として決定する。ここで、本発明の実施形態に係るコンテンツデータ入力部とは、例えば、外部記録媒体に記憶されたコンテンツデータを受信する機能、および／または、外部記録媒体からコンテンツデータを読み出す機能を有する構成要素を指す。
【００５２】
＜コンテンツデータ入力部の一例＞
外部記録媒体に記憶されたコンテンツデータを受信する機能を有するコンテンツデータ入力部としては、例えば、ＵＳＢ端子および処理回路や、ＬＡＮ端子および送受信回路、ＩＥＥＥ８０２．１１ｂポートおよび送受信回路などが挙げられるが、上記に限られない。また、コンテンツデータ入力部が外部記録媒体に記憶されたコンテンツデータを受信する機能を有する場合、例えば、表示装置１００が備える通信部（後述する）が、コンテンツデータ入力部としての役目を果たすことができる。
【００５３】
また、外部記録媒体からコンテンツデータを読み出す機能を有するコンテンツデータ入力部としては、例えば、メモリスティックやＳＤメモリーカード（SD  Memory  Card）などの外部記録媒体を着脱可能に収納するスロットが挙げられるが、上記に限られない。例えば、外部記録媒体からコンテンツデータを読み出す機能を有するコンテンツデータ入力部は、Ｂｌｕ−ｒａｙ（登録商標）ディスクドライブなどの光ディスクドライブや、ＭＯ（Magneto-Optical）ディスクドライブなどの光磁気ディスクドライブであってもよい。また、コンテンツデータ入力部が外部記録媒体からコンテンツデータを読み出す機能を有する場合、例えば、表示装置１００が備える外部記録媒体読出部（後述する）が、コンテンツデータ入力部としての役目を果たすことができる。
【００５４】
また、本発明の実施形態に係るコンテンツデータ入力部は、例えば、上記に挙げた例を組み合わせたデバイスによって、外部記録媒体に記憶されたコンテンツデータを受信する機能、および外部記録媒体からコンテンツデータを読み出す機能を有することができる。
【００５５】
表示装置１００は、例えば、上記のようなコンテンツデータ入力部を１または２以上備える。そして、表示装置１００は、コンテンツデータが入力されたコンテンツデータ入力部が備えられる位置に基づいて、当該備えられる位置に対応する位置を表示開始位置として決定する。ここで、表示装置１００が複数のコンテンツデータ入力部を備える場合、表示装置１００は、異なる種類のコンテンツデータ入力部を備えることができ、また、同種のコンテンツデータ入力部を複数備えることもできる。
【００５６】
なお、上記では、コンテンツデータ入力部を、外部記録媒体に記憶されたコンテンツデータを受信する機能、および／または外部記録媒体からコンテンツデータを読み出す機能を有するものとして説明したが、上記に限られない。例えば、表示装置１００は、コンテンツデータを記録可能な表示装置１００の内部に備えられる記憶部（後述する）を、コンテンツデータ入力部として扱うこともできる。上記の場合、表示装置１００は、例えば、記憶部が備えられる位置に対応する位置を表示開始位置として決定してもよいし、予め定められた位置や、操作部（後述する）を用いたユーザ操作に応じて設定された位置を、表示開始位置として決定することもできる。
【００５７】
図５は、本発明の実施形態に係る表示装置１００が決定する表示開始位置の一例を示す説明図である。ここで、図５は、表示装置１００の表示画面の左隅下の点を原点Ｏとし、表示画面上の点を二次元座標で表している。以下では、表示装置１００の表示画面上の点を二次元座標または三次元座標で表して説明する。また、その際、原点は、図５と同様に、表示画面の左隅下の点であるものとして説明する。なお、表示画面上の点を二次元座標または三次元座標で表す場合における原点が、表示画面の左隅下の点に限られないことは、言うまでもない。
【００５８】
図５に示す点Ａｍ（ｍは、１以上の整数。）は、表示開始位置の一例を示している。表示装置１００は、例えば、コンテンツデータ入力部が備えられる位置に対応する座標が記録された表示開始位置情報を記憶し、コンテンツデータが入力されたコンテンツデータ入力部に対応する表示開始位置を決定する。また、上記表示開始位置情報には、例えば、ユーザ操作に応じて設定された座標をさらに記憶することもできる。なお、表示装置１００における表示開始位置の決定方法が、表示開始位置情報を用いる方法に限られないことは、言うまでもない。
【００５９】
（２−２）表示位置候補導出処理
表示装置１００は、各コンテンツデータを表示させる表示位置を決定するために、コンテンツデータを表示させることが可能な表示位置の候補（以下、「表示位置候補」という。）を導出する。
【００６０】
＜表示位置候補の導出方法の例＞
＜ａ＞第１の例：二次元座標で表される表示位置候補の導出方法
まず、本発明の実施形態に係る二次元座標で表される表示位置候補の導出方法について説明する。
【００６１】
表示装置１００は、例えば、上記（１）の処理（表示数決定処理）にて決定された表示数に基づいて、表示位置候補の座標（二次元座標）を導出する。図６は、本発明の実施形態に係る表示装置１００における表示位置候補導出方法の第１の例を説明するための説明図である。ここで、図６は、表示開始位置が、点Ａ１（０，ａ）（ａは、０＜ａ＜Ｙｍａｘを満たす正の整数。）に設定された場合を示している。
【００６２】
また、図６に示すｘ軸は、表示画面の水平方向に対応し、ｙ軸は、表示画面の垂直方向に対応する。また、図６の点（Ｘｍａｘ，０）は、表示画面の右隅下の座標を示しており、図６の点（０，Ｙｍａｘ）は、表示画面の左隅上の座標を示している。つまり、表示装置１００の表示画面の縦横比は、「Ｘｍａｘ：Ｙｍａｘ」で表される。なお、以下では、Ｘｍａｘ＞Ｙｍａｘであるものとして説明するが、上記に限られない。
【００６３】
表示装置１００は、上記（１）の処理にて決定された表示数Ｎ（Ｎは、正の整数。）に基づいて、表示位置候補を、表示画面の水平方向および垂直方向で規定される二次元平面内に、例えばマトリクス状に導出する。より具体的には、表示装置１００は、例えば、下記の数式１に示す関係を満たす（Ｎｘ×Ｎｙ）個（Ｎｘ、Ｎｙは、正の整数。）の表示位置候補の座標を、表示位置候補ごとに導出する。ここで、表示装置１００は、コンテンツデータが表す画像の縦横の関係に対応するように、ＮｘとＮｙとを、例えば、Ｎｘ≧Ｎｙの関係を満たすように設定するが、上記に限られない。
【００６４】
Ｎｘ×Ｎｙ≧Ｎ
・・・（数式１）
【００６５】
つまり、表示装置１００は、数式１を満たすＮｘとＮｙとを導出することによって、表示位置候補の座標を導出する。以下、本発明の実施形態に係るＮｘおよびＮｙの導出方法の一例を示す。以下では、表示装置１００が、例えば、下記の数式２を満たすようなＮｘおよびＮｙの導出方法を示すが、本発明の実施形態に係るＮｘおよびＮｙの導出方法は、当該導出方法に限られない。
【００６６】
Ｘｍａｘ：Ｙｍａｘ＝Ｎｘ：Ｎｙ
・・・（数式２）
【００６７】
数式２より、Ｎｙは、下記の数式３で表される。
【００６８】
Ｎｙ＝（Ｙｍａｘ／Ｘｍａｘ）・Ｎｘ
・・・（数式３）
【００６９】
ここで、数式３を数式１に代入すると、数式１は、数式４となる。
【００７０】
（Ｙｍａｘ／Ｘｍａｘ）・Ｎｘ２≧Ｎ
・・・（数式４）
【００７１】
したがって、例えば、数式４を満たす最小のＮｘを導出する、すなわち、下記の数式５を満たす最小のＮｘを導出することによって、表示装置１００は、Ｎｘを決定することができる。
【００７２】
【数５】
2010176420.tif 000003
・・・（数式５）
【００７３】
また、表示装置１００は、例えば、数式５によって導出されたＮｘを数式３に代入することによって、Ｎｙを導出することができる。
【００７４】
表示装置１００は、例えば上記数式１〜数式５により導出されたＮｘ、Ｎｙに基づいて、（Ｎｘ×Ｎｙ）個の表示位置候補の座標（二次元座標）を、表示位置候補ごとに決定することができる。
【００７５】
＜ｂ＞第２の例：三次元座標で表される表示位置候補の導出方法
上記では、本発明の実施形態に係る表示位置候補の導出方法の第１の例として、二次元座標で表される表示位置候補の導出方法について説明した。しかしながら、本発明の実施形態に係る表示位置候補の導出方法は、二次元座標で表される表示位置候補を導出することに限られない。そこで、次に、本発明の実施形態に係る表示位置候補の導出方法の第１の例として、表示装置１００が、三次元座標で表される表示位置候補を導出する場合における導出方法の一例について説明する。
【００７６】
図７Ａ、図７Ｂは、本発明の実施形態に係る表示装置１００における表示位置候補導出方法の第２の例を説明するための説明図である。ここで、図７Ａ、図７Ｂに示すｘ軸は、表示画面の水平方向を表しており、ｙ軸は、表示画面の垂直方向を示している。また、図７Ａ、図７Ｂに示すｚ軸は、表示画面に対する鉛直方向を示している。表示装置１００は、表示画面をみるユーザ側をｚ軸の正の方向とするが、上記に限られない。以下では、表示画面をみるユーザ側をｚ軸の正の方向として説明する。
【００７７】
また、図７Ａ、図７Ｂの点（Ｘｍａｘ，０，０）は、図６と同様に、表示画面の右隅下の座標を示しており、図７Ａの点（０，Ｙｍａｘ，０）は、図６と同様に、表示画面の左隅上の座標を示している。そして、図７Ｂに示すＺｍａｘは、表示装置１００に設定されたｚ軸方向の最大値を示している。表示装置１００は、上記（１）の処理にて決定された表示数Ｎ（Ｎは、正の整数。）に基づいて、表示画面の水平方向、垂直方向、および表示画面に対する鉛直方向（より具体的には、Ｚｍａｘ。）で規定される三次元空間内に、表示位置候補を導出する。
【００７８】
表示装置１００は、上記表示位置候補の導出方法の第１の例と同様に、上記数式１〜数式５により導出されたＮｘ、Ｎｙに基づいて、表示位置候補それぞれのｘ座標およびｙ座標を決定する。
【００７９】
また、表示装置１００は、決定された各表示位置候補のｘ座標の値（以下、単に「ｘ」と表す場合がある。）およびｙ座標の値（以下、単に「ｙ」と表す場合がある。）に基づいて、各表示位置候補のｚ座標の値を導出する。
【００８０】
図８は、本発明の実施形態に係る表示装置１００における表示位置候補導出方法の第２の例を説明するための説明図である。ここで、図８は、表示位置候補のｚ座標の値を導出するための導出方法の一例を示している。また、図８は、表示開始位置が、点Ａ１（０，ａ，０）に設定された場合を示している。
【００８１】
表示装置１００は、例えば、表示位置候補のｚ座標の値が、ｚ軸方向に対して表示開始位置からの距離に反比例する値となるように、各表示位置候補のｚ座標の値を導出する。より具体的には、表示装置１００は、例えば、決定された各表示位置候補のｘ座標の値、および表示位置候補のｙ座標の値を、図８のＱに対応する下記の数式６に代入することによって、表示位置候補ごとに表示位置候補のｚ座標の値を導出する。ここで、下記の数式６は、表示開始位置が点Ａ１（０，Ｙｍａｘ，０）である場合における例を示している。
【００８２】
【数６】
2010176420.tif 000004
・・・（数式６）
【００８３】
表示装置１００は、例えば上記数式１〜数式６を用いることによって、（Ｎｘ×Ｎｙ）個の表示位置候補の座標（三次元座標）を、表示位置候補ごとに決定することができる。
【００８４】
表示装置１００は、例えば、上記第１の例や第２の例に示す方法を用いることによって、（Ｎｘ×Ｎｙ）個の表示位置候補の座標（二次元座標／三次元座標）を、表示位置候補ごとに導出する。なお、本発明の実施形態に係る表示位置候補の導出方法が、上記に限られないことは、言うまでもない。
【００８５】
（２−３）表示位置決定処理
上記（２−２）の処理（表示位置候補導出処理）において表示位置候補が導出されると、表示装置１００は、例えば、（Ｎｘ×Ｎｙ）個の表示位置候補の中からＮ個の表示位置候補をランダムに選択する。ここで、上記のように選択された表示位置候補は、コンテンツデータが配置される表示位置となる。つまり、表示装置１００は、上記（１−１）の処理（表示数決定処理）によって決定された表示数に対応する数の表示位置を設定する。
【００８６】
なお、表示装置１００における表示位置の決定方法は、上記に限られない。例えば、表示装置１００は、（Ｎｘ×Ｎｙ）個の表示位置候補のうち、表示画面の中心付近の表示位置候補がより多く選択されるように、重み付けて選択することもできる。また、表示装置１００は、例えば、コンテンツデータに設定された表示サイズの情報に基づいて、コンテンツデータ全体が表示画面内に表示されない恐れがある表示位置候補を除外して、表示位置を決定することもできる。上記決定方法によって、表示装置１００は、表示画面に表示するいずれかのコンテンツデータが表示画面内に収まらない表示結果が生じることを防止することができる。
【００８７】
（３）表示処理
上記（２）の処理（表示位置決定処理）において表示開始位置と表示位置とが決定されると、表示装置１００は、各コンテンツデータを、表示開始位置から表示位置それぞれへと移動させながら表示させる。以下、表示装置１００における表示処理の一例について説明する。
【００８８】
＜表示処理の一例＞
＜Ａ＞第１の例：表示開始位置、表示位置が二次元座標で表される場合
図９は、本発明の実施形態に係る表示装置１００における表示処理の第１の例を説明するための説明図である。ここで、図９は、表示開始位置がＡ１（０，ａ）であり、表示位置としてＰ１とＰ２の２点が選択された例を示している。つまり、図９は、表示開始位置、表示位置が二次元座標で表される場合の一例を示している。
【００８９】
表示装置１００は、例えば、コンテンツデータを表示開始位置からの距離が遠い表示位置から順（図９では、点Ｐ１、点Ｐ２の順）に表示させるが、上記に限られない。例えば、表示装置１００は、例えば、コンテンツデータを表示開始位置からの距離が近い表示位置から順（図９では、点Ｐ２、点Ｐ１の順）に表示させることもできる。
【００９０】
ここで、表示装置１００は、コンテンツデータの中心位置が表示位置と一致するように、各コンテンツデータを移動させながら表示させるが、上記に限られない。また、表示装置１００は、コンテンツデータの中心位置のｘ座標およびｙ座標の値を所定の値ずつ変化させることによって、移動させながらの表示を実現することができるが、上記に限られない。さらに、表示装置１００は、各コンテンツデータに対して、例えば、コンテンツデータごとにランダムな角度（例えば、表示画面の水平方向に対する角度）を設定して表示させることができる。
【００９１】
また、表示装置１００は、表示画面に表示させるコンテンツデータがコンテンツデータ入力部に入力された順に、コンテンツデータを表示させるが、上記に限られない。例えば、表示装置１００は、コンテンツデータのメタ情報として“お気に入り”である旨の情報が設定されている場合には、“お気に入り”である旨の情報が設定されているコンテンツデータの表示順序を入れ換えることもできる。表示順序の入れ換え方法としては、例えば、“お気に入り”である旨の情報が設定されているコンテンツデータをより早い順番で表示させることや、当該情報が設定されているコンテンツデータをより遅い順番で表示させることが挙げられるが、上記に限られない。
【００９２】
また、表示装置１００は、表示させるコンテンツデータが重なる場合、例えば、より遅い順番で表示させたコンテンツデータの重なる部分を表示させるが、上記に限られない。例えば、表示装置１００は、コンテンツデータのメタ情報として“お気に入り”である旨の情報が設定されている場合には、“お気に入り”である旨の情報が設定されているコンテンツデータの全体を表示させてもよい。なお、表示装置１００は、“お気に入り”である旨の情報が設定されているコンテンツデータが重なる場合には、コンテンツデータの表示順に基づいて重なる部分を表示させることができることは、言うまでもない。
【００９３】
表示開始位置、表示位置が二次元座標で表される場合、表示装置１００は、例えば、上記のようにコンテンツデータを表示させる。
【００９４】
＜Ｂ＞第２の例：表示開始位置、表示位置が三次元座標で表される場合
図１０は、本発明の実施形態に係る表示装置１００における表示処理の第２の例を説明するための説明図である。ここで、図１０は、表示開始位置がＡ１（０，ａ，０）であり、表示位置としてＰ３とＰ４の２点が選択された例を示している。つまり、図１０は、表示開始位置、表示位置が三次元座標で表される場合の一例を示している。
【００９５】
表示装置１００は、表示開始位置、表示位置が二次元座標で表される場合と同様に、例えば、コンテンツデータを表示開始位置からの距離が遠い表示位置から順（図１０では、点Ｐ３、点Ｐ４の順）に表示させる。ここで、表示装置１００は、表示開始位置、表示位置が二次元座標で表される場合と同様に、コンテンツデータの中心位置が表示位置と一致するように、各コンテンツデータを移動させながら表示させるが、上記に限られない。
【００９６】
また、表示開始位置、表示位置が三次元座標で表される場合には、例えば図１０に示すように、表示開始位置からの距離が遠い程、コンテンツデータの重なる部分が表示されないが、上記に限られない。例えば、表示装置１００は、コンテンツデータのメタ情報として“お気に入り”である旨の情報が設定されている場合には、設定されたｚ座標の値によらず、“お気に入り”である旨の情報が設定されているコンテンツデータの全体を表示させてもよい。
【００９７】
表示開始位置、表示位置が三次元座標で表される場合、表示装置１００は、例えば、上記のようにコンテンツデータを表示させる。
【００９８】
表示装置１００は、例えば、上記第１の例、第２の例に示すように、各コンテンツデータを表示開始位置から表示位置それぞれへと移動させながら表示させる。よって、例えば、図２Ａ〜図２Ｃに示すような本発明の実施形態に係る表示方法が実現される。なお、表示装置１００における表示処理が、上記第１の例、第２の例に限られないことは、言うまでもない。
【００９９】
＜表示装置１００における他の表示例＞
図１１は、本発明の実施形態に係る表示装置１００の表示画面に表示されるコンテンツデータの他の表示例を示す説明図である。ここで、図１１は、表示装置１００がコンテンツデータを表示画面に表示した状態の他の例を示してる。
【０１００】
図１１に示すように、表示装置１００は、静止画像を表すコンテンツデータと動画像を表すコンテンツデータ（例えば、図１１のＣ１）とを混在して表示画面に表示させることができる。ここで、表示装置１００は、例えば、動画像の先頭のフレームが表す画像を表示する。そして、例えば、表示装置１００が備える操作部（後述する）を用いたユーザ操作により動画像を表すコンテンツデータが選択された場合には、図１１のように一覧表示されている状態で、動画像の再生を開始する。なお、ユーザ操作により動画像を表すコンテンツデータが選択された場合、表示装置１００が、例えば、当該コンテンツデータに対応する動画像を全画面表示にて表示することもできることは、言うまでもない。
【０１０１】
また、表示装置１００は、例えば図１１に示すように、表示サイズが他のコンテンツデータと異なるコンテンツデータ（例えば、図１１のＣ２）を表示することができる。また、表示装置１００は、例えば図１１のＣ３に示すコンテンツデータのように、コンテンツデータの表示順序によらず、コンテンツデータの全体を表示させることもできる。
【０１０２】
表示装置１００は、例えば、上記（１）の処理（表示数決定処理）、（２）の処理（表示位置決定処理）、および（３）の処理（表示処理）によって、例えば、図２Ａ〜図２Ｃや、図１１に示すような本発明の実施形態に係る表示方法を実現することができる。
【０１０３】
したがって、表示装置１００は、上記（１）の処理〜（３）の処理によって、複数のコンテンツデータを表示画面へと表示させる場合においてユーザにとってより分かりやすく直感的な表示を実現することができる。また、表示装置１００は、上記（１）の処理〜（３）の処理によって、コンテンツデータを従来の表示方法を用いる場合よりもより効果的にユーザに対して見せることができる。
【０１０４】
〔表示装置１００における処理の具体例〕
次に、表示装置１００における上述した本発明の実施形態に係る表示方法を実現するための処理について、より具体的に説明する。図１２は、本発明の実施形態に係る表示装置１００における処理の一例を示す流れ図である。
【０１０５】
表示装置１００は、コンテンツデータの表示を行うか否かを判定する（Ｓ１００）。ここで、表示装置１００は、例えば、コンテンツデータ入力部にコンテンツデータが入力されたか否かに基づいて、ステップＳ１００の判定を行うが、上記に限られない。ステップＳ１００においてコンテンツデータの表示を行うと判定されない場合には、表示装置１００は、コンテンツデータの表示を行うと判定されるまで、処理を進めない。
【０１０６】
また、ステップＳ１００においてコンテンツデータの表示を行うと判定された場合には、表示画面に表示するコンテンツデータの表示数を決定する（Ｓ１０２）。ここで、表示装置１００は、例えば、コンテンツデータ入力部に入力されたコンテンツデータに基づいて、入力されたコンテンツデータの数を表示数とするが、上記に限られない。
【０１０７】
ステップＳ１０２において表示数が決定されると、表示装置１００は、各コンテンツデータの表示サイズを決定する（Ｓ１０４）。ここで、表示装置１００は、例えば、ステップＳ１０２において決定された表示数と、図３、図４に示すような表示数と表示サイズとが対応付けられたルックアップテーブルとを用いて、決定された表示数に応じた表示サイズを決定するが、上記に限られない。
【０１０８】
表示装置１００は、表示開始位置を決定する（Ｓ１０６）。ここで、表示装置１００は、例えば、コンテンツデータが入力されたコンテンツデータ入力部が備えられる位置と、表示開始位置情報とに基づいて、表示開始位置を決定するが、上記に限られない。また、コンテンツデータが入力されたコンテンツデータ入力部が複数存在する場合、表示装置１００は、複数の表示開始位置を設定することもできる。
【０１０９】
なお、図１２では、ステップＳ１０４の処理の後にステップＳ１０６の処理が行われる例を示しているが、上記に限られない。例えば、表示装置１００は、ステップＳ１０２、Ｓ１０４の処理とステップＳ１０６の処理とをそれぞれ独立に行うことができる。よって、表示装置１００は、例えば、ステップＳ１０６の処理の後にステップＳ１０２、Ｓ１０４の処理を行うことができ、また、ステップＳ１０２、Ｓ１０４の処理とステップＳ１０６の処理とを同期して開始することもできる。
【０１１０】
表示装置１００は、表示位置候補を導出する（Ｓ１０８）。ここで、表示装置１００は、例えば、ステップＳ１０２において決定された表示数に基づいて、例えば、上記数式１〜数式５（または、上記数式１〜数式６）の演算を行うことによって、表示位置候補を導出するが、上記に限られない。
【０１１１】
なお、図１２では、ステップＳ１０６の処理の後にステップＳ１０８の処理が行われる例を示しているが、上記に限られない。例えば、表示装置１００は、ステップＳ１０２の処理において決定された表示数に基づいて表示位置候補を導出するので、ステップＳ１０２の処理が完了した後の任意のタイミングでステップＳ１０８の処理を行うことができる。
【０１１２】
ステップＳ１０８において表示位置候補が導出されると、表示装置１００は、導出された表示位置候補の中から、表示数に相当する数の表示位置を決定する（Ｓ１１０）。ここで、表示装置１００は、例えば、導出した表示位置候補の中から表示数に相当する数の表示位置候補をランダムに選択することによって表示位置を決定するが、上記に限られない。
【０１１３】
ステップＳ１０６において表示開始位置が決定され、ステップＳ１１０において表示いちが決定されると、表示装置１００は、表示開始位置から各表示位置へ向けてコンテンツデータそれぞれを移動させる（Ｓ１１２；コンテンツデータの表示処理）。
【０１１４】
表示装置１００は、例えば図１２に示す処理を行うことによって、上記（１）の処理（表示数決定処理）、（２）の処理（表示位置決定処理）、および（３）の処理（表示処理）を実現する。したがって、表示装置１００は、例えば図１２に示す処理を行うことによって、複数のコンテンツデータを表示画面へと表示させる場合においてユーザにとってより分かりやすく直感的な表示を実現することができる。また、表示装置１００は、例えば図１２に示す処理を行うことによって、コンテンツデータを従来の表示方法を用いる場合よりもより効果的にユーザに対して見せることができる。
【０１１５】
（本発明の実施形態に係る表示装置）
次に、上述した本発明の実施形態に係る表示方法を実現することが可能な、本発明の実施形態に係る表示装置１００の構成例について説明する。
【０１１６】
図１３は、本発明の実施形態に係る表示装置１００の構成の一例を示す説明図である。表示装置１００は、通信部１０２と、外部記録媒体読出部１０４と、記憶部１０６と、制御部１０８と、操作部１１０と、表示部１１２とを備える。
【０１１７】
また、表示装置１００は、例えば、ＲＯＭ（Read  Only  Memory；図示せず）や、ＲＡＭ（Random  Access  Memory；図示せず）などを備えてもよい。表示装置１００は、例えば、データの伝送路としてのバス（bus）により各構成要素間を接続する。ここで、ＲＯＭは、制御部１０８が使用するプログラムや演算パラメータなどの制御用データを記憶する。ＲＡＭは、制御部１０８により実行されるプログラムなどを一次記憶する。
【０１１８】
〔表示装置１００のハードウェア構成例〕
図１４は、本発明の実施形態に係る表示装置１００のハードウェア構成の一例を示す説明図である。図１４では、外部記録媒体の一例として、外部メモリ３００を併せて示している。ここで、外部メモリ３００としては、例えば、メモリスティックやＳＤメモリーカードなどが挙げられるが、上記に限られない。
【０１１９】
ＭＰＵ１５０は、ＭＰＵや、制御機能を実現するための複数の回路が集積された集積回路などで構成され、表示装置１００全体を制御する制御部１０８として機能する。また、ＭＰＵ１５０は、表示装置１００において、後述する表示数決定部１２０、表示位置設定部１２２、および表示制御部１２４としての役目を果たすこともできる。
【０１２０】
ＲＯＭ１５２は、ＭＰＵ１５０が使用するプログラムや演算パラメータなどの制御用データを記憶し、また、ＲＡＭ１５４は、例えば、ＭＰＵ１５０により実行されるプログラムなどを一次記憶する。
【０１２１】
記録媒体１５６は、記憶部１０６として機能し、例えば、表示開始位置情報や、表示サイズ情報、コンテンツデータ、アプリケーションなど様々なデータ（情報）を記憶する。ここで、記録媒体１５６としては、例えば、ハードディスク（Hard  Disk）などの磁気記録媒体や、ＥＥＰＲＯＭ（Electrically  Erasable  and  Programmable  Read  Only  Memory）、フラッシュメモリ（flash  memory）、ＭＲＡＭ（Magnetoresistive  Random  Access  Memory）、ＦｅＲＡＭ（Ferroelectric  Random  Access  Memory）、ＰＲＡＭ（Phase  change  Random  Access  Memory）などの不揮発性メモリ（nonvolatile  memory）が挙げられるが、上記に限られない。
【０１２２】
入出力インタフェース１５８は、例えば、操作入力デバイス１６０や、表示デバイス１６２を接続する。操作入力デバイス１６０は、操作部１１０として機能し、また、表示デバイス１６２は、表示部１１２として機能する。ここで、入出力インタフェース１５８としては、例えば、ＵＳＢ端子や、ＤＶＩ（Digital  Visual  Interface）端子、ＨＤＭＩ（High-Definition  Multimedia  Interface）端子、各種処理回路などが挙げられるが、上記に限られない。また、操作入力デバイス１６０は、例えば、表示装置１００上に備えられ、表示装置１００の内部で入出力インタフェース１５８と接続される。操作入力デバイス１６０としては、例えば、ボタン、方向キー、ジョグダイヤルなどの回転型セレクター、あるいは、これらの組み合わせなどが挙げられるが、上記に限られない。また、表示デバイス１６２は、例えば、表示装置１００上に備えられ、表示装置１００の内部で入出力インタフェース１５８と接続される。表示デバイス１６２としては、例えば、ＬＣＤや有機ＥＬディスプレイ（organic  ElectroLuminescence  display。または、ＯＬＥＤディスプレイ（Organic  Light  Emitting  Diode  display）ともよばれる。）などが挙げられるが、上記に限られない。なお、入出力インタフェース１５８は、表示装置１００の外部装置としての操作入力デバイス（例えば、キーボードやマウスなど）や、表示デバイス（例えば、外部ディスプレイなど）と接続することもできることは、言うまでもない。
【０１２３】
また、入出力インタフェース１５８は、例えば図２Ａ〜図２Ｃに示すように、外部装置と接続されることによって、接続された外部装置から送信されるコンテンツデータを受信することもできる。つまり、入出力インタフェース１５８は、表示装置１００において、外部装置と通信する通信部１０２としての機能することができ、また、外部装置に記録されたコンテンツデータが入力されるコンテンツデータ入力部としての役目を果たすことができる。
【０１２４】
通信インタフェース１６４は、表示装置１００が備える通信手段であり、ネットワークを介して（あるいは、直接的に）外部装置と無線／有線で通信を行うための通信部１０２として機能する。ここで、通信インタフェース１６４としては、例えば、通信アンテナおよびＲＦ回路（無線通信）や、ＩＥＥＥ８０２．１５．１ポートおよび送受信回路（無線通信）、ＩＥＥＥ８０２．１１ｂポートおよび送受信回路（無線通信）、あるいはＬＡＮ端子および送受信回路（有線通信）などが挙げられるが、上記に限られない。また、通信インタフェース１６４は、表示装置１００において、ネットワークを介して（あるいは、直接的に）外部装置から送信されるコンテンツデータを受信する（コンテンツデータが入力される）コンテンツデータ入力部としての役目を果たすこともできる。
【０１２５】
スロット１６６は、着脱可能な外部メモリ（外部記録媒体の一例）の差込口を有し、外部メモリ３００を着脱可能に収納し、外部メモリ３００に記録されたデータ（情報）を外部メモリ３００から読み出す。よって、スロット１６６は、表示装置１００において外部記録媒体に記録されたデータを読出す外部記録媒体読出部１０４として機能する。また、スロット１６６は、収納された外部メモリ３００にコンテンツデータが記録されている場合には当該コンテンツデータを読み出すことができる。つまり、スロット１６６は、表示装置１００において外部メモリ３００に記録されたコンテンツデータが入力されるコンテンツデータ入力部としての役目を果たすことができる。また、スロット１６６は、収納された外部メモリ３００からデータを読み出すことに限られず、例えば、外部メモリ３００へとデータを記録することが可能な構成であってもよい。ここで、スロット１６６に収納される外部メモリ３００としては、例えば、メモリスティックやＳＤメモリーカードなどが挙げられるが、上記に限られない。また、スロット１６６は、複数の外部メモリの規格に対応したマルチスロットとすることもできる。
【０１２６】
なお、図１４では、表示装置１００が、１つの外部メモリ３００を収納する構成を示しているが、上記に限られない。例えば、本発明の実施形態に係る表示装置１００は、複数のスロットを備え、複数の外部メモリを着脱可能に収納することもできる。また、表示装置１００は、複数の外部メモリを収納することが可能なスロットを備えていてもよい。
【０１２７】
表示装置１００は、例えば図１４に示す構成によって、上記（１）の処理（表示数決定処理）、（２）の処理（表示位置決定処理）、および（３）の処理（表示処理）を実現する。
【０１２８】
なお、本発明の実施形態に係る表示装置１００のハードウェア構成は、図１４に示す構成に限られない。例えば、表示装置１００は、外部記録媒体としての光ディスクからデータを読出すことが可能な光ディスクドライブ（図示せず）や、ＤＳＰ（Digital  Signal  Processor）、増幅器（アンプ）、スピーカなどから構成される音声出力デバイス（図示せず）などをさらに備えていてもよい。また、表示装置１００は、スロット１６６の代わりに光ディスクドライブ（図示せず）を備えることもできる。上記の場合、光ディスクドライブ（図示せず）は、表示装置１００において光ディスクに記録されたコンテンツデータが入力されるコンテンツデータ入力部としての役目を果たすこととなる。ここで、光ディスクドライブ１６８としては、例えば、Ｂｌｕ−ｒａｙ（登録商標）ディスクドライブなどの光ディスクの読出機能を有するものや、ＤＶＤ−Ｒドライブなどのように読出機能および書込機能を有するものなどが挙げられるが、上記に限られない。
【０１２９】
再度図１３を参照して、表示装置１００の構成要素について説明する。通信部１０２は、表示装置１００が備える通信手段であり、ネットワークを介して（あるいは、直接的に）外部装置と無線／有線で通信を行う。表示装置１００は、通信部１０２を備えることによって、外部装置から送信されるコンテンツデータを受信することができる。よって、通信部１０２は、ネットワークを介して（あるいは、直接的に）外部装置から送信されるコンテンツデータを受信する（コンテンツデータが入力される）コンテンツデータ入力部としての役目を果たす。また、通信部１０２は、例えば、制御部１０８によって外部装置との通信が制御される。ここで、通信部１０２としては、例えば、通信インタフェース１６４や入出力インタフェース１５８が挙げられるが、上記に限られない。
【０１３０】
外部記録媒体読出部１０４は、外部記録媒体から当該外部記録媒体に記録されたデータの読み出す。表示装置１００は、外部記録媒体読出部１０４を備えることによって、外部記録媒体に記録されたコンテンツデータを読み出すことができる。よって、外部記録媒体読出部１０４は、外部記録媒体に記録されたコンテンツデータが入力されるコンテンツデータ入力部としての役目を果たす。
【０１３１】
記憶部１０６は、表示装置１００が備える記憶手段である。ここで、記憶部１０６としては、例えば、ハードディスクなどの磁気記録媒体や、フラッシュメモリなどの不揮発性メモリなどが挙げられるが、上記に限られない。
【０１３２】
また、記憶部１０６は、例えば、表示開始位置情報や、表示サイズ情報、コンテンツデータ、アプリケーションなど様々なデータ（情報）を記憶する。ここで、図１３では、コンテンツデータＡ１３０、コンテンツデータＢ１３２、…などのコンテンツデータと、表示開始位置情報１３４と、表示サイズ情報１３６とが記憶部１０６に記憶されている例を示しているが、上記に限られない。
【０１３３】
また、記憶部１０６に記憶されたコンテンツデータは、例えば、制御部１０８により読み出される。ここで、表示装置１００は、記憶部１０６に記憶されたコンテンツデータの読出しを、例えば、コンテンツデータの入力と捉えることができる。つまり、表示装置１００は、例えば、記憶部１０６に記憶されたコンテンツデータの読出しに基づいて、上記（１）の処理（表示数決定処理）〜（３）の処理（表示処理）を行うことができる。上記の場合、表示装置１００は、例えば、予め定められた位置や、ユーザ操作により設定された位置を表示開始位置として決定するが、上記に限られない。
【０１３４】
制御部１０６は、例えば、ＭＰＵや、各種処理回路が集積された集積回路などで構成され、表示装置１００全体を制御する役目を果たす。また、制御部１０８は、表示数決定部１２０と、表示位置設定部１２２と、表示制御部１２４とを備え、上記（１）の処理（表示数決定処理）〜（３）の処理（表示処理）を主導的に行う役目を果たす。
【０１３５】
表示数決定部１２０は、上記（１）の処理（表示数決定処理）の一部の処理を行う役目を果たす。より具体的には、表示数決定部１２０は、上記（１−１）の処理（表示数決定処理）を行う役目を果たし、表示画面に表示するコンテンツデータの表示数を決定する。そして、表示数決定部１２０は、決定した表示数の情報を表示位置設定部１２２に伝達する。
【０１３６】
なお、表示数決定部１２０が、さらに上記（１−２）の処理（コンテンツデータの表示サイズ決定処理）を行うことが可能な構成であってもよいことは、言うまでもない。上記の場合には、表示数決定部１２０は、上記（１）の処理（表示数決定処理）を行う役目を果たすこととなる。以下では、上記（１−２）の処理（コンテンツデータの表示サイズ決定処理）を表示位置設定部１２２が行うものとして説明する。
【０１３７】
表示位置設定部１２２は、上記（１）の処理（表示数決定処理）の一部の処理と、上記（２）の処理（表示位置決定処理）とを行う役目を果たす。
【０１３８】
より具体的には、表示位置設定部１２２は、例えば、表示数決定部１２０から伝達される表示数の情報に基づいて、表示するコンテンツデータの表示サイズを設定する。また、表示位置設定部１２２は、コンテンツデータに含まれるメタ情報に基づいて各コンテンツデータの表示サイズを設定することもできる。
【０１３９】
また、表示位置設定部１２２は、コンテンツデータが入力されたコンテンツデータ入力部の位置に基づく表示開始位置の決定、表示数決定部１２０から伝達される表示数の情報に基づく表示位置候補の導出、そして、表示位置の決定を行う。
【０１４０】
表示制御部１２４は、上記（３）の処理（表示処理）を行う役目を果たす。より具体的には、表示制御部１２４は、表示位置設定部１２２が決定した表示開始位置および表示位置に基づいて、表示開始位置から各表示位置へ向けてコンテンツデータをそれぞれ移動させながらコンテンツデータを表示画面に表示する。
【０１４１】
制御部１０８は、表示数決定部１２０、表示位置設定部１２２、および表示制御部１２４を備えることによって、上記（１）の処理〜（３）の処理を主導的に行う役目を果たすことができる。
【０１４２】
操作部１１０は、ユーザによる操作を可能とする表示装置１００が備える操作手段である。表示装置１００は、操作部１１０を備えることによって、例えば、表示画面に表示されたコンテンツデータの選択的な再生や、外部装置や外部記録媒体からのコンテンツデータの読み出しなど、ユーザが所望する処理を行うことができる。ここで、上記コンテンツデータの選択的な再生とは、例えば、動画再生の開始や、全画面表示などをいうが、上記に限られない。また、操作部１０８としては、例えば、ボタン、方向キー、ジョグダイヤルなどの回転型セレクタ、あるいは、これらの組み合わせなどが挙げられるが、上記に限られない。
【０１４３】
表示部１１２は、表示装置１００が備える表示手段であり、表示画面に様々な情報を表示する。表示部１１２の表示画面に表示される画面としては、例えば、図２Ｂ、図２Ｃに示すような複数のコンテンツデータの表示画面や、コンテンツデータの全画面表示、所望する動作を表示装置１００に対して行わせるための操作画面などが挙げられる。ここで、表示部１１２としては、例えば、ＬＣＤや有機ＥＬディスプレイなどが挙げられるが、上記に限られない。例えば、表示装置１００は、表示部１１２を、タッチスクリーンで構成することもできる。上記の場合には、表示部１１２は、ユーザ操作および表示の双方が可能な操作表示部として機能することとなる。
【０１４４】
表示装置１００は、例えば図１３に示す構成によって、上記（１）の処理（表示数決定処理）、（２）の処理（表示位置決定処理）、および（３）の処理（表示処理）を実現する。したがって、表示装置１００は、複数のコンテンツデータを表示画面へと表示させる場合においてユーザにとってより分かりやすく直感的な表示を実現することができる。また、表示装置１００は、コンテンツデータを従来の表示方法を用いる場合よりもより効果的にユーザに対して見せることができる。
【０１４５】
以上のように、本発明の実施形態に係る表示装置１００は、上記（１）の処理（表示数決定処理）、（２）の処理（表示位置決定処理）、および（３）の処理（表示処理）を行い、表示画面への複数のコンテンツデータを表示させる。ここで、表示装置１００は、例えば、図２Ａ〜図２Ｃに示すように、コンテンツデータが入力されたコンテンツデータ入力部が備えられる位置から、表示画面上に設定されたコンテンツデータの表示位置へと移動させながら各コンテンツデータを表示させる。よって、図２Ａ〜図２Ｃに示すような本発明の実施形態に係る表示方法を用いることによって、表示装置１００は、従来の表示方法よりもより直感的な表示を実現することができる。また、表示装置１００は、複数のコンテンツデータの表示に際して例えば物理的な写真を机の上に無造作に広げるような状態を視覚的に作り出すので、従来の表示方法よりも“写真を扱っている”というような感覚をユーザに対して与えることができる。さらに、例えば図１Ｃに示すように従来の表示方法が表示されたコンテンツデータの表示状態を均一化するのに対して、表示装置１００は、例えば図２Ｃに示すようにコンテンツデータの表示状態を均一化しない。よって、表示装置１００は、従来の表示方法が用いられた場合よりも、表示画面に表示されたコンテンツデータそれぞれに対してユーザの意識を向けさせることができる。したがって、表示装置１００は、複数のコンテンツデータを表示画面へと表示させる場合においてユーザにとってより分かりやすく直感的な表示を実現することができる。また、表示装置１００は、コンテンツデータを従来の表示方法を用いる場合よりもより効果的にユーザに対して見せることができる。
【０１４６】
以上、本発明の実施形態として表示装置１００を挙げて説明したが、本発明の実施形態は、かかる形態に限られない。本発明の実施形態は、例えば、デジタルフォトフレームや、ノート型ＰＣなどのコンピュータ、携帯電話やＰＨＳ（Personal  Handyphone  System）などの携帯型通信装置、ＷＡＬＫ  ＭＡＮ（登録商標）などの映像／音楽再生装置、ＰｌａｙＳｔａｔｉｏｎ  Ｐｏｒｔａｂｌｅ（登録商標）などの携帯型ゲーム機、デジタル放送／アナログ放送を受信可能なテレビ受像機など、コンテンツデータを表示可能な様々な機器で適用することができる。
【０１４７】
（本発明の実施形態に係るプログラム）
コンピュータを、本発明の実施形態に係る表示装置として機能させるためのプログラムによって、複数のコンテンツデータを表示画面へと表示させる場合においてユーザにとってより分かりやすく直感的な表示を実現することができる。また、コンピュータを、本発明の実施形態に係る表示装置として機能させるためのプログラムによって、コンテンツデータを従来の表示方法を用いる場合よりもより効果的にユーザに対して見せることができる。
【０１４８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１４９】
例えば、上記では、本発明の実施形態に係る表示装置１００として、例えば図１３に示すように、制御部１０８が表示数決定部１２０、表示位置設定部１２２、および表示制御部１２４を備える構成を示した。しかしながら、本発明の実施形態に係る表示装置の構成は、かかる構成に限られない。例えば、本発明の実施形態に係る表示装置は、図１３に示す表示数決定部１２０と、表示位置設定部１２２と、表示制御部１２４とをそれぞれ別体の処理回路で実現することもできる。上記の構成であっても、本発明の実施形態に係る表示装置は、上述した（１）の処理（表示数決定処理）〜（３）の処理（表示処理）を実現することができるので、図１３に示す表示装置１００と同様の効果を奏することができる。
【０１５０】
また、上記では、コンピュータを、本発明の実施形態に係る表示装置１００として機能させるためのプログラム（コンピュータプログラム）が提供されることを示したが、本発明の実施形態は、さらに、上記各プログラムを記憶させた記憶媒体も併せて提供することができる。
【０１５１】
上述した構成は、本発明の実施形態の一例を示すものであり、当然に、本発明の技術的範囲に属するものである。
【符号の説明】
【０１５２】
１０、１００    表示装置
９０、２００    外部装置
１０２    通信部
１０４    外部記録媒体読出部
１０６    記憶部
１０８    制御部
１１０    操作部
１１２    表示部
１２０    表示数決定部
１２２    表示位置設定部
１２４    表示制御部
【図１Ａ】
2010176420.tif 000005
【図１Ｂ】
2010176420.tif 000006
【図２Ａ】
2010176420.tif 000007
【図２Ｂ】
2010176420.tif 000008
【図２Ｃ】
2010176420.tif 000009
【図３】
2010176420.tif 000010
【図４】
2010176420.tif 000011
【図５】
2010176420.tif 000012
【図６】
2010176420.tif 000013
【図７Ａ】
2010176420.tif 000014
【図７Ｂ】
2010176420.tif 000015
【図８】
2010176420.tif 000016
【図９】
2010176420.tif 000017
【図１０】
2010176420.tif 000018
【図１１】
2010176420.tif 000019
【図１２】
2010176420.tif 000020
【図１３】
2010176420.tif 000021
【図１４】
2010176420.tif 000022